【手続補正書】
【提出日】平成16年4月27日(2004.4.27)
【手続補正１】
【補正対象書類名】特許請求の範囲
【補正対象項目名】全文
【補正方法】変更
【補正の内容】
【特許請求の範囲】
【請求項１】
組織を処置するシステムであって、
電源からの電力レベルの電力と、
流体源からの流体流量での流体と、
前記組織を処置するために前記電力と前記流体とを同時に提供する手術器具と、
少なくとも二つの非ゼロ流体流量間で流体流量を変え、少なくとも二つの非ゼロレベル間で電力レベルを変える制御システムと、
を備える組織処置システム。
【請求項２】
前記制御システムは、電力レベルの増加に伴って流体流量を増加させ、電力レベルの減少に伴って流体流量を減少させる請求項１に記載の組織処置システム。
【請求項３】
前記手術器具から提供される電力は、前記手術器具から供給される流体の少なくとも一部の加熱を引き起こし、この流体加熱が流体の少なくとも一部の特性変化をもたらす請求項１に記載の組織処置システム。
【請求項４】
前記流体特性変化が変色を含む請求項３に記載の組織処置システム。
【請求項５】
前記流体特性変化が液相から蒸気相への相転移を含む請求項３に記載の組織処置システム。
【請求項６】
前記手術器具から供給される電力は、前記手術器具から供給される流体の少なくとも一部の加熱を引き起こし、この流体加熱が流体の少なくとも一部の気化をもたらす請求項１に記載の組織処置システム。
【請求項７】
前記制御システムが、前記流体の沸騰割合の増減に伴って流体流量を増減させる請求項６に記載の組織処置システム。
【請求項８】
前記電力が組織の加熱を引き起こし、前記流体の気化が組織加熱のための温度制御機構を提供する請求項７に記載の組織処置システム。
【請求項９】
前記流体が第１気化熱を有し、前記温度制御機構が第１気化熱からなる請求項８に記載の組織処置システム。
【請求項１０】
前記制御システムは、更に流体流量コントローラと電源出力測定装置を含み、前記流体流量コントローラが、電源出力計測装置から受信する電力レベル変化を示す入力信号の変化の結果、前記流体の流量を変える出力信号を供給する請求項１に記載の組織処置システム。
【請求項１１】
前記電力が高周波電力からなる請求項１に記載の組織処置システム。
【請求項１２】
前記流体源が静脈流体バッグから成る請求項１に記載の組織処置システム。
【請求項１３】
前記流体が導電性流体と非導電性流体の一方からなる請求項１に記載の組織処置システム。
【請求項１４】
前記制御システムは、流体流量を増減するための流体流制御機構と、前記手術器具から供給される電力レベルを増減する電力制御機構とからなり、前記電力制御機構が電力レベルを増加させれば前記流体流制御機構が流体流量を増加させ、前記電力制御機構が電力レベルを減少させれば前記流体流制御機構が流体流量を減少させる請求項１に記載の組織処置システム。
【請求項１５】
前記流体流制御機構が手動式装置を含み、前記電力制御機構が手動式装置を含む請求項１４に記載の組織処置システム。
【請求項１６】
前記流体流制御機構の手動式装置が、流量コントローラ、ローラークランプ及びポンプのうちの少なくとも１つから成る請求項１５に記載の組織処置システム。
【請求項１７】
前記電力制御機構の手動式装置が、前記電源の電力切替スイッチを含む請求項１５に記載の組織処置システム。
【請求項１８】
組織を処置するシステムであって、
電源から電力レベルで供給される高周波電力と、
流体源から流体流量で供給される電導性流体と、
前記組織に前記電導性流体及び前記高周波電力を供給するよう設計された電気手術器具と、
前記組織と前記電気手術器具とを結合する電導性流体で構成される流体結合と、
前記流体結合が組織温度の指標として機能することと、
から成る組織処置システム。
【請求項１９】
前記流体結合が、沸騰することによって組織温度の指標として機能する請求項１８に記載の組織処置システム。
【請求項２０】
前記流体結合が、沸騰割合によって組織温度の指標として機能する請求項１８に記載の組織処置システム。
【請求項２１】
前記流体結合が、流体結合沸騰の開始によって組織温度の指標として機能する請求項１８に記載の組織処置システム。
【請求項２２】
組織を処置するシステムであって、
電源から電力レベルで供給される高周波電力と、
流体源から流体流量で供給される電導性流体と、
前記組織に前記電導性流体とともに前記高周波電力を供給するよう設計された電気手術器具と、
前記組織と前記電気手術器具を結合する前記電導性流体で構成される流体結合と、
前記流体結合が前記組織を冷却するよう機能することと、
から成る組織処置システム。
【請求項２３】
組織を処置するシステムであって、
電源から電力レベルで供給される高周波電力と、
流体源から流体流量で供給される電導性流体と、
前記組織に前記電導性流体に伴って前記高周波電力を供給するよう設計された電気手術器具と、
前記組織と前記電気手術器具とを結合する前記電導性流体で構成された流体結合と、
前記流体結合が前記組織から熱を放散するように機能することと、
から成る組織処置システム。
【請求項２４】
組織を処置するシステムであって、
電源から電力レベルで供給される高周波電力と、
流体源から流体流量で供給される電導性流体と、
前記組織に前記電導性流体に伴って前記高周波電力を供給するよう設計された電気手術器具と、
前記組織と前記電気手術器具とを結合する前記電導性流体で構成された流体結合と、
前記流体結合がその少なくとも一部を沸騰させることによって前記組織と前記流体結合の少なくとも一方から熱を放散するよう機能することと、
から成る組織処置システム。
【請求項２５】
組織を処置するシステムであって、
電源から電力レベルで供給される高周波電力と、
流体源から流体流量で供給される電導性流体と、
前記組織に前記電導性流体に伴って前記高周波電力を供給するよう設計された電気手術器具と、
前記組織と前記電気手術器具を結合する前記電導性流体で構成された流体結合と、
前記高周波電力レベルと前記電導性流体の流量の少なくとも一方が前記流体結合の沸騰に使用されることと、
から成る組織処置システム。
【請求項２６】
前記流体結合の沸騰に使用される電導性流体流量と高周波電力レベルの少なくとも一方が、前記流体結合の沸騰の開始、増加、減少または削除の効果の１つを含んでいる請求項２５に記載の組織処置システム。
【請求項２７】
組織を処置するシステムであって、
電源から電力レベルで供給される高周波電力と、
流体源から流体流量で供給される電導性流体と、
前記組織に前記電導性流体に伴って前記高周波電力を供給するよう設計された電気手術器具と、
前記組織と前記電気手術器具を結合する前記電導性流体で構成された流体結合と、
前記流体結合が、組織表面の組織温度を実質的に前記流体結合の沸点に制限するよう機能することと、
からなる組織処置システム。
【請求項２８】
組織を処置するシステムであって、
電源から電力レベルで供給される高周波電力と、
流体源から流体流量で供給される電導性流体と、
前記組織に前記電導性流体に伴って前記高周波電力を供給するよう設計された電気手術器具と、
前記組織と前記電気手術器具を結合する前記電導性流体で構成された流体結合と、
前記流体結合が、前記組織を乾燥から防ぐように機能することと、
からなる組織処置システム。
【請求項２９】
乾燥から組織を防ぐよう機能する前記流体結合が、更に、その少なくとも一部を沸騰させることによって前記組織を乾燥から防ぐように機能する流体結合から成る請求項２８に記載の組織処置システム。
【請求項３０】
少なくとも一部を沸騰させることによって前記組織を乾燥から防ぐよう機能する前記流体結合が、更に、前記組織を乾燥から防ぐ温度で少なくとも一部を沸騰させることによって前記組織を乾燥から防ぐよう機能する流体結合から成る請求項２９に記載の組織処置システム。
【請求項３１】
組織を処置するシステムであって、
電源から電力レベルで供給される高周波電力と、
流体源から流体流量で供給される電導性流体と、
前記組織に前記電導性流体とともに前記高周波電力を供給するよう設計された電気手術機器と、
前記組織と前記電気手術機器とを結合する前記電導性流体から成る流体結合と、
前記流体結合が組織温度の可視指標として機能することと、
から成る組織処置システム。
【請求項３２】
前記流体結合は、沸騰によって組織温度の可視指標として機能する請求項３1に記載の組織処置システム。
【請求項３３】
前記流体結合は、沸騰割合によって組織温度の可視指標として機能する請求項３1に記載の組織処置システム。
【請求項３４】
前記流体結合は、その沸騰開始によって組織温度の可視指標として機能する請求項３1に記載の組織処置システム。
【請求項３５】
組織を処置する方法であって、
電気手術機器に高周波電力と電導性流体を供給する工程と、
前記電気手術機器から流体流量で前記電導性流体を供給する工程と、
前記組織と前記電気手術機器とを結合する前記電導性流体を介して流体結合を形成する工程と、
前記電気手術機器から電力レベルで高周波電力を供給する工程と、
前記高周波電力を、少なくともその一部が前記流体結合を介するようにして前記組織に付与する工程と、
前記組織を加熱する工程と、
前記組織から前記流体結合への熱の一部を除去する工程と、
前記組織の温度可視指標として前記流体結合を使用する工程と、
から成る組織処置方法。
【請求項３６】
前記組織の温度可視指標として前記流体結合を使用するステップは、前記組織の温度可視指標としての前記流体結合の沸騰からなる請求項３５に記載の組織処置方法。
【請求項３７】
前記組織の温度可視指標としての前記流体結合の沸騰ステップは、前記組織の温度可視指標としての前記流体結合の沸騰の開始、増加、減少、停止の内の少なくとも１つからなる請求項３６に記載の組織処置方法。
【請求項３８】
前記組織の温度可視指標として流体結合を使用するステップは、前記組織の温度可視指標として前記流体結合の沸騰量を使用することからなる請求項３５に記載の組織処置方法。
【請求項３９】
前記組織の温度可視指標として前記流体結合を使用するステップは、前記組織の温度可視指標として前記流体結合の沸騰開始を使用することからなる請求項３５に記載の組織処置方法。
【請求項４０】
前記組織の温度可視指標として前記流体結合を使用するステップは、前記組織の温度可視指標として前記流体結合の変色を使用することからなる請求項３５に記載の組織処置方法。
【請求項４１】
前記組織は組織表面からなり、前記電気手術機器は電極からなり、前記流体結合は前記組織表面と前記電極とを結合し、前記組織を加熱するステップは前記組織表面下の前記組織を加熱することからなる請求項３５に記載の組織処置方法。
【請求項４２】
前記組織は少なくとも１本の血管からなり、前記組織の加熱は前記血管を縮めるに充分な加熱からなる請求項３５に記載の組織処置方法。
【請求項４３】
前記組織の加熱は止血及び空気洩れ閉塞の少なくとも１つの実現に充分な加熱からなる請求項３５に記載の組織処置方法。
【請求項４４】
前記組織の温度を75℃〜100℃の範囲に制御するよう前記流体結合を使用することを含む請求項３５に記載の組織処置方法。
【請求項４５】
前記組織の温度を75℃〜100℃の範囲に制御するよう前記流体結合を使用するステップは、前記組織の温度を約100℃に制御することからなる請求項４４に記載の組織処置方法。
【請求項４６】
前記組織の温度を75℃〜100℃の範囲に制御するよう前記流体結合を使用するステップは、前記組織の温度を約約100℃に制御すべく前記流体結合の沸騰の開始、増加、減少、停止の内の少なくとも１つを使用することからなる請求項４４に記載の組織処置方法。
【請求項４７】
前記組織の温度を75℃〜100℃の範囲に制御するよう前記流体結合を使用するステップは、前記組織の温度を約100℃に制御すべく前記流体結合の沸騰量を使用することからなる請求項４４に記載の組織処置方法。
【請求項４８】
前記組織の温度を75℃〜100℃の範囲に制御するよう前記流体結合を使用するステップは、前記組織の温度を約100℃に制御すべく前記流体結合の沸騰の開始を使用することからなる請求項４４に記載の組織処置方法。
【請求項４９】
組織を処置する方法であって、
高周波電力及び電導性流体を電気手術機器に供給するステップと、
前記電気手術機器から前記電導性流体を流体流量で供給するステップと、
前記電気手術機器から前記組織への電気経路を提供するため、前記電導性流体で導電性前記組織と前記電気手術機器とを結合する流体結合を形成するステップと、
前記電気手術機器から高周波電力を電力レベルで供給するステップと、
前記高周波電力を、少なくともその一部が前記流体結合を介するようにして前記組織に付与する工程と、
前記組織を加熱するステップと、
前記組織から前記流体結合へ熱の一部を除去するステップと、
前記流体結合を目視観察するステップと、
前記流体結合の前記目視観察に基づいて前記流体流量及び前記電力レベルの少なくとも１つを調整するステップと、
からなる組織処置用方法。
【請求項５０】
前記流体結合の目視観察に基づいて前記流体流量と前記電力レベルの少なくとも１つを調整するステップにより、前記流体結合によって提供される前記電気経路が変更される請求項４９に記載の組織処置方法。
【請求項５１】
前記流体結合の目視観察に基づいて前記流体流量と前記電力レベルの少なくとも１つを調整するステップにより、前記組織に付与される前記電力が変更される請求項４９に記載の組織処置方法。
【請求項５２】
前記流体結合の目視観察に基づいて前記流体流量と前記電力レベルの少なくとも１つを調整するステップにより、前記組織の加熱が変更される請求項４９に記載の組織処置方法。
【請求項５３】
前記組織は少なくとも１本の血管からなり、前記組織加熱ステップは血管を縮めるのに充分な組織加熱からなる請求項４９に記載の組織処置方法。
【請求項５４】
前記組織加熱ステップは止血と空気洩れ閉塞の少なくとも一方の実現に充分な組織加熱からなる請求項４９に記載の組織処置方法。